(57)【要約】【課題】前ガードは着脱可能に後ガードに取り付けられ、前ガードの表面および裏面の両方の面を扇風機の前面として使用することができる扇風機を得ることを目的とする。【解決手段】本発明の扇風機は、ファン１０１と、ファン１０１の背面と側面を囲いファン１０１の前面に開口面を持つ後ガード２と、前ガード前面１ａと、前ガード後面１ｂがそれぞれ後ガード２の開口面と対向するように後ガード２へ着脱可能な前ガード１と、を有することを特徴としている。【選択図】          図２
2015042868.tif 000002
【特許請求の範囲】
【請求項１】
ファンと、前記ファンの背面と側面を囲い前記ファンの前面に開口面を持つ後ガードと、一方の面と他方の面がそれぞれ前記後ガードの開口面と対向するように前記後ガードへ着脱可能な前ガードと、を有することを特徴とする扇風機。
【請求項２】
前記前ガードは、前記前ガードの求心側から遠心側へと伸び、前記前ガードの前記一方の面において、前記ファンの回転方向と逆方向に湾曲している放射フィンを、複数備えていることを特徴とする請求項１に記載の扇風機。
【請求項３】
前記前ガードは、前記前ガードの求心側から遠心側へと伸びる直線形状の放射フィンを複数備えており、前記放射フィンは、前記前ガードの前記一方の面において、前記前ガードの中心点と前記放射フィンの求心側の端部を結ぶ直線と、前記前ガードの中心点と前記放射フィンの遠心側の端部を結ぶ直線と、で形成される角のうち、前記放射フィンの求心側の端部と前記前ガードの中心点を結ぶ直線を基準として、前記ファンの回転方向と逆方向側の角の大きさが、前記ファンの回転方向と同方向側の角の大きさよりも小さくなるよう、形成されていることを特徴とする請求項１に記載の扇風機。
【請求項４】
前記前ガードは、
前記前ガードの中心点から外枠までの間に、前記前ガードの前記中心点を中心とした同心状に設けられ、前記前ガードの一方の面側の端部が前記前ガードの他方の面側の端部よりも前記前ガードの中心点に近づくように傾斜している筒状フィンを、
有することを特徴とする請求項１に記載の扇風機。
【請求項５】
前記前ガードは、前記前ガードの求心側から遠心側へと伸びる放射フィンを複数備えていることを特徴とする請求項４に記載の扇風機。
【請求項６】
前記放射フィンの他方の面側の端部は、前記筒状フィンの他方の面側の端部よりも突出していることを特徴とする請求項５に記載の扇風機。
【請求項７】
前記放射フィンは、直線形状であり、
前記前ガードの前記一方の面において、前記放射フィンの求心側の端部と、前記放射フィンの遠心側の端部と、を結ぶ直線は前記前ガードの中心点を通過し、
前記筒状フィンの一方の面側の端部は、前記放射フィンの一方の面側の端部よりも突出していることを特徴とする請求項５又は６に記載の扇風機。
【請求項８】
前記放射フィンは、前記前ガードの前記一方の面において、前記ファンの回転方向と逆方向に湾曲していることを特徴とする請求項５又は６に記載の扇風機。
【請求項９】
前記放射フィンは、直線形状であり、前記前ガードは、前記前ガードの求心側から遠心側へと伸びる直線形状の放射フィンを複数備えており、
前記放射フィンは、前記前ガードの前記一方の面において、前記放射フィンの求心側の端部と前記前ガードの中心点を結ぶ直線と、前記放射フィンの遠心側の端部と前記前ガードの中心点を結ぶ直線とで形成される角のうち、前記放射フィンの求心側の端部と前記前ガードの中心点を結ぶ直線を基準として、前記ファンの回転方向と逆方向側の角の大きさが、前記ファンの回転方向と同方向側の角の大きさよりも小さくなるよう、形成されていることを特徴とする請求項５又は６に記載の扇風機。
【請求項１０】
前記放射フィンの一方の面側の端部は、前記筒状フィンの一方の面側の端部よりも突出していることを特徴とする請求項８又は９に記載の扇風機。
【請求項１１】
前記後ガードには前記前ガードが固定される固定部と、前記前ガードには前記後ガードの固定部と対応する固定部が、それぞれ設けられたことを特徴とする請求項１から１０のいずれかに記載の扇風機。
【請求項１２】
前記前ガードの固定部は前記前ガードの一方の面と他方の面の両方に設けられていることを有することを特徴とする請求項１１に記載の扇風機。
【請求項１３】
前記前ガードは平面形状であることを特徴とする、請求項１から１２のいずれかに記載の扇風機。
【請求項１４】
前記前ガードの前記一方の面と、前記他方の面と、において意匠が異なる請求項１から１３のいずれかに記載の扇風機。
【発明の詳細な説明】
【技術分野】
【０００１】
本発明は扇風機に関する。
【背景技術】
【０００２】
従来の扇風機には、例えば特許文献１のように、回転する羽根を利用者が触れないように、羽根の前方を覆う前ガードと、羽根の後方を覆う後ガードと、により羽根を覆うガードを構成する扇風機があった。特許文献１では、前ガードの台輪にクリップが設けられたリング体が装着されており、リング体を後ガードの台輪に嵌合させ、リング体のクリップを後ガードの台輪に係止することによって、前ガードが後ガードに固定される扇風機が記載されている。
【先行技術文献】
【特許文献】
【０００３】
【特許文献１】特開２００２−８９４８３号公報
【発明の概要】
【発明が解決しようとする課題】
【０００４】
特許文献１の扇風機は、前ガードと後ガードの取り外しが可能ではあるが、前ガードの表面しか扇風機の前面として活用できず、前ガードの裏面を有用に活用することはできなかった。
【０００５】
この発明は、上述のような課題を解決するためになされたもので、前ガードの両面を扇風機の前面として使用でき、前ガードの裏面も有用に活用することができる扇風機を得るものである。
【課題を解決するための手段】
【０００６】
この発明に係る扇風機は、ファンと、前記ファンの背面と側面を囲い前記ファンの前面に開口面を持つ後ガードと、一方の面と他方の面がそれぞれ前記後ガードの開口面と対向するように前記後ガードへ着脱可能な前ガードと、を有することを特徴としている。
【発明の効果】
【０００７】
この発明は後ガードがファンの背面と側面を囲いファンの前面に開口面を持ち、また前ガードは一方の面と他方の面がそれぞれ前記後ガードの開口面と対向するように前記後ガードへ着脱可能とすることにより、前ガードの両面を扇風機の前面として使用でき、前ガードの裏面も有用に活用することができる。
【図面の簡単な説明】
【０００８】
【図１】実施の形態１に係る扇風機の全体を表した斜視図である。
【図２】実施の形態１に係る扇風機のガード部分を拡大した斜視図である。
【図３】実施の形態１に係る後ガードの斜視図である。
【図４】実施の形態１に係る前ガードの前ガード裏面側の斜視図である。
【図５】実施の形態１に係る前ガードの前ガード表面側の斜視図である。
【図６】実施の形態１に係る固定凸部を含む図３に示すＡ部分の拡大斜視図である。
【図７】実施の形態１に係る固定凹部を含む図４に示すＢｂ部分もしくは図５に示すＢａ部分の拡大斜視図である。
【図８】実施の形態１に係る扇風機の前ガード前面を扇風機の前面として使用する場合における前ガードとガードリングの取り付け方法を示す斜視図である。
【図９】実施の形態１に係る扇風機の固定凸部を挿入溝に挿入する前の状態を表した図８に示すＣ−Ｃ断面図である。
【図１０】実施の形態１に係る扇風機の固定凸部を挿入溝に挿入した状態を表した図８に示すＣ−Ｃ断面図である。
【図１１】実施の形態１に係る扇風機の固定凸部を固定溝に挿入した状態を表した図８に示すＣ−Ｃ断面図である。
【図１２】実施の形態２に係る前ガードの前ガード表面側を扇風機の前面として取り付けた場合における扇風機の正面図である。
【図１３】実施の形態２に係る前ガードの前ガード裏面側を扇風機の前面として取り付けた場合における扇風機の正面図である。
【図１４】実施の形態２に係る扇風機の図１２に示す領域Ｄの拡大図である。
【図１５】実施の形態２に係る扇風機の図１３に示す領域Ｅの拡大図である。
【図１６】実施の形態２に係る前ガードの前ガード表面側を扇風機の前面として取り付けた場合と、前ガード裏面側を扇風機の前面として取り付けた場合における風速分布をそれぞれ表したグラフである。
【図１７】実施の形態３及び４に係る前ガードの前ガード表面側の正面図である。
【図１８】実施の形態３及び４に係る前ガードの前ガード裏面側の正面図である。
【図１９】実施の形態３に係る前ガードの前ガード表面側を扇風機の前面として取り付けた場合における図１７に示すＦ−Ｆ断面図である。
【図２０】実施の形態３に係る前ガードの前ガード裏面側を扇風機の前面として取り付けた場合における図１８に示すＧ−Ｇ断面図である。
【図２１】実施の形態４に係る前ガードの前ガード表面側を扇風機の前面として取り付けた場合における図１７に示すＦ−Ｆ断面図である。
【図２２】実施の形態４に係る前ガードの前ガード裏面側を扇風機の前面として取り付けた場合における図１８に示すＧ−Ｇ断面図である。
【図２３】実施の形態５に係る前ガードの前ガード表面側の正面図である。
【図２４】実施の形態５に係る前ガードの前ガード裏面側の正面図である。
【図２５】実施の形態５に係る前ガードの前ガード表面側を扇風機の前面として取り付けた場合における図２３に示すＨ−Ｈ断面図である。
【図２６】実施の形態５に係る前ガードの前ガード裏面側を扇風機の前面として取り付けた場合における図２４に示すＩ−Ｉ断面図である。
【発明を実施するための形態】
【０００９】
実施の形態１．
まず、扇風機１００の構造について説明する。図１は、実施の形態１に係る扇風機の全体を表した斜視図である。図２は、実施の形態１に係る扇風機のガード部分を拡大した斜視図である。扇風機１００は、扇風機１００の前方へ気流を吹き出すファン１０１と、ファン１０１を回転させるモータ（図示省略）を内蔵する電動機部１０２と、電動機部１０２を支持する支柱部１０３と、支柱部１０３の根元を保持する台座部１０４と、ファン１０１を保護する前ガード１および後ガード２からなるガード部より構成されている。
【００１０】
ファン１０１は、羽根ボス部１０１ａと、羽根ボス部１０１ａの周方向に等間隔で放射状に設けられた羽根１０１ｂが一体となって構成されている。羽根ボス部１０１ａは、電動機部１０２の前面より突出したモータの駆動軸（図示省略）に固定されている。そのため、電動機部１０２に内蔵されたモータが駆動するとファン１０１は回転し、扇風機１００のファン１０１の旋回方向の向きを有する旋回方向成分と、ファン１０１の前方、つまり吹出方向の向きを有する吹出方向成分を持った吹出気流を送り出すことができる。
【００１１】
図３は、実施の形態１に係る後ガードの斜視図である。後ガード２は、後ガード２の底部から前ガードが取り付けられる開口面へと伸びる複数本のワイヤで形成された保護網３と、開口面の円周に取り付けられたガードリング４により、内側にファン１０１を格納する椀状に形成されている。保護網３はファン１０１に物が触れないようにファン１０１を保護している。保護網３と前ガード１はガードリング４を介して連結している。後ガード２の底部には穴が空いており、電動機部１０２の前面と後ガード２の底部が接し、後ガード２の底部の穴よりモータの回転軸が突出するように組みつけられる。また、ファン１０１は前述のようにモータの駆動軸に固定されるため、後ガード２の内側にファン１０１が収まる。このような後ガード２の構成にすることで、後ガード２は、ファン１０１の前面は開口面として開いているが、ファン１０１の背面および側面を囲み保護している。また、ガードリング４は保護網３の円周に沿って段が形成されており、開口面側が低くなっている。以後、ガードリング４の段の上側を上段４ａ、下側を下段４ｂと称する。
【００１２】
図４は、実施の形態１に係る前ガードの前ガード裏面側の斜視図である。図５は、実施の形態１に係る前ガードの前ガード表面側の斜視図である。なお、本発明の前ガードの一方の面は前ガード表面１ａが対応し、他方の面は前ガード裏面１ｂが対応する。前ガード１は、前ガード１の中央に位置する板状の部材である中央部５と、前ガード１の外周部に設けられた外枠６と、求心側である中央部５から遠心側である外枠６へと放射状に伸び、複数本設けられた放射フィン７と、中央部５及び外枠６と同心円状に設けられた筒状フィン１３と、が一体となって円盤形状に形成されている。また、前ガード１の直径は後ガード２の開口面の直径と略同じである。前ガード１は、後述する固定方法によって後ガード２に着脱可能に固定されることで、ファン１０１の前面からファン１０１を保護している。前ガード１を後ガード２に取り付け扇風機１００前面より見た場合に、前ガード１の中心とファン１０１の回転軸は略一致している。また、外枠６の厚さはガードリング４の上段４ａと下段４ｂの落差と略等しい。
【００１３】
次に前ガード１と後ガード２にそれぞれ設けられた固定部について説明する。図６は実施の形態１に係る固定凸部を含む図３に示すＡ部分の拡大斜視図である。固定凸部８は略直方体の形状にガードリング４の下段４ｂから突出しており、後ガード２のガードリング４の下段４ｂにそれぞれ９０°おきに４か所に配置されている。
【００１４】
図７は本実施の形態１に係る固定凹部を含む図４に示すＢｂ部分もしくは図５に示すＢａ部分の拡大斜視図である。固定凹部９は前ガード１の外枠６の前ガード裏面１ｂ側と、前ガード表面１ａ側と、にそれぞれ９０°おきに４か所ずつに配置されており、前ガード１は計８個の固定凹部９を有している。固定凹部９は、挿入溝１０と固定溝１１からなるＬ字型に形成された溝と、Ｌ字型の溝を挿入溝１０と固定溝１１を分割する突起であるストッパー１２から構成されている。また、８個の固定凹部９は全て同一形状であるが、説明のために、前ガード表面１ａ側の固定凹部９を表面固定凹部９ａ、前ガード裏面１ｂ側の固定凹部９を裏面固定凹部９ｂと称する。それに伴い、挿入溝１０、固定溝１１およびストッパー１２についても、表面固定凹部９ａではそれぞれ表面挿入溝１０ａ、表面固定溝１１ａ、表面ストッパー１２ａと称し、裏面固定凹部９ｂではそれぞれ裏面挿入溝１０ｂ、裏面固定溝１１ｂ、裏面ストッパー１２ｂと称する。
【００１５】
次に固定凸部８と固定凹部９による前ガード１と後ガード２の固定方法について説明する。図８は、実施の形態１に係る扇風機の前ガード前面を扇風機の前面として使用する場合における前ガードとガードリングの取り付け方法を示す斜視図である。図９は、実施の形態１に係る扇風機の固定凸部を挿入溝に挿入する前の状態を表した図８に示すＣ−Ｃ断面図である。図１０は、実施の形態１に係る扇風機の固定凸部を挿入溝に挿入した状態を表した図８に示すＣ−Ｃ断面図である。図１１は、実施の形態１に係る扇風機の固定凸部を固定溝に挿入した状態を表した図８に示すＣ−Ｃ断面図である。
【００１６】
前ガード前面１ａを扇風機１００の前面として使用する場合の前ガード１とガードリング４の取り付け方法について説明する。始めに、前ガード裏面１ｂと後ガード２の開口面が対向するように、前ガード１は支持される。（図９参照）。次に、前ガード１は図８の破線矢印方向へ移動させられ、固定凸部８が裏面挿入溝１０ｂに挿入される（図１０参照）。固定凸部８を裏面挿入溝１０ｂへ挿入できるように、裏面挿入溝１０ｂの外枠６の外縁部と接する面は開口されている。最後に、前ガード１は図８の実線矢印方向へ回転させられることで固定凸部８が裏面挿入溝１０ｂから裏面固定溝１１ｂへと挿入される（図１１参照）。前ガード１が回転する際に、固定凸部８と裏面ストッパー１２ｂが接触してしまうため、固定凸部８が裏面ストッパー１２ｂを乗り越えるように、前ガード１は荷重を加えられて回転させられる。また、裏面固定溝１１ｂへ挿入された固定凸部８は裏面ストッパー１２ｂにより固定されるため、前ガード１が自然に外れることを防止している。
【００１７】
前ガード前面１ａを扇風機１００の前面として使用している場合において、前ガード１をガードリング４より取り外すには、取り付けとは逆の手順で行われる。まず、前ガード１が図８の実線矢印方向と逆方向へ回転させられることで、固定凸部８は裏面固定溝１１ｂから裏面挿入溝１０ｂへ挿入される。前ガード１が回転する際に、固定凸部８が裏面ストッパー１２ｂを乗り越えるように、前ガード１は荷重を加えられて回転させられる。そして、裏面挿入溝１０ｂの開口より固定凸部８が抜き取られることで、前ガード１は取り外される。
【００１８】
また、上記の説明では、前ガード前面１ａを扇風機１００の前面として使用する場合の前ガード１とガードリング４の取り付け方法について説明したが、前ガード裏面１ｂを扇風機１００の前面として使用する場合の前ガード１とガードリング４の取り付け方法についても説明する。始めに、前ガード表面１ａと後ガード２の開口面が対向するように、前ガード１は支持される。次に、前ガード１は、図８の破線矢印方向へ移動させられ、固定凸部８が表面挿入溝１０ａに挿入される。最後に、前ガード１は図８の実線矢印方向へ回転させられることで固定凸部８が表面挿入溝１０ａから表面固定溝１１ａへと挿入される。前ガード１が回転する際に、固定凸部８と表面ストッパー１２ａが接触してしまうため、固定凸部８が表面ストッパー１２ａを乗り越えるように、前ガード１は荷重を加えられて回転させられる。
【００１９】
前ガード裏面１ｂを扇風機１００の前面として使用している場合において、前ガード１をガードリング４より取り外すには、前ガード表面１ａを扇風機１００の前面として使用する場合と同じく取り付けとは逆の手順で行われる。まず、前ガード１が図８の実線矢印方向と逆方向へ回転させられることで、固定凸部８は表面固定溝１１ａから表面挿入溝１０ａへ挿入される。前ガード１が回転する際に、固定凸部８が表面ストッパー１２ａを乗り越えるように、前ガード１は荷重を加えられて回転させられる。そして、表面挿入溝１０ａの開口より固定凸部８が抜き取られることで、前ガード１は取り外される。
【００２０】
実施の形態１の扇風機１００は前ガード表面１ａ及び前ガード裏面１ｂの両方を扇風機１００の前面にして使用することができる。例えば前ガード表面１ａに汚損が生じた際には前ガード裏面１ｂを扇風機１００の前面として使用することで、前ガード表面１ａの汚損を目立たせることなく使用することができる効果を有している。また、前ガード表面１ａおよび前ガード裏面１ｂの色調や表面処理などの意匠を変えることで、使用者が扇風機の意匠を選択できる効果を有している。以上の効果より、前ガードの裏面を有効に活用することができる。
【００２１】
前ガード１と後ガード２の取り付け方法は、固定凸部８と固定凹部９を嵌合させるだけなので、前ガード１を回転させるだけで取り外すことができ、使用者は容易に前ガード１の取り付け面を変更することができる。さらに、固定凸部８と固定凹部９は簡易な形状であるため、製造コストを抑えることもできる。
【００２２】
なお、実施の形態１では前ガード１と後ガード２の取り付けを前ガード１の固定凹部９と後ガード２に設けた固定凸部８の嵌合によって行ったが、これに限らず、例えば、後ガードの開口面の円周をガードリング４の代わりにワイヤで構成し、前ガードは固定凹部９の代わりに後ガードの開口面の円周部のワイヤを把持する爪部を外枠の前ガード表面側および前ガード裏面側の両縁部に設けても良い。この場合、前ガード表面側を扇風機の前面に使用する場合は、前ガード裏面側の爪部が後ガードの開口面の円周部のワイヤを把持するように前ガードを固定し、前ガード裏面側を扇風機の前面に使用する場合は、前ガード表面側の爪部が後ガードの開口面の円周部のワイヤを把持するように前ガードを固定すれば良い。
【００２３】
また、実施の形態１では、前ガード１は円盤状であるが、これに限らず、例えば四角形などの多角形の平面形状でも良い。また、前ガード表面および前ガード裏面の両方を扇風機の前面に使用しても前ガードがファンに衝突しなければ、前ガード表面又は前ガード裏面に対して垂直な方向に膨らみを持っていても構わない。
【００２４】
さらに、実施の形態１では、ガードリング４に固定凸部８が４か所に設けられ、前ガード１には固定凹部９が前ガード表面１ａ側と前ガード裏面１ｂ側で４か所ずつ計８箇所に取り付けていたが、これに限らず、固定凸部はガードリングに２カ所以上に設けられ、前ガードには固定凹部が前ガード表面側と前ガード裏面側でそれぞれ少なくとも固定凸部の個数、設けられていればよい。
【００２５】
また、実施の形態１では、前ガード１に固定凹部９を設け、ガードリング４に固定凸部８を設けたが、これに限らず、前ガードに固定凸部を設け、ガードリングに固定凹部を設けてもよい。特に、前ガードの外枠の外周部に固定凸部を設け、ガードリングの内側に固定凹部を設けることで、前ガード表面を扇風機の前面として取り付ける場合と前ガード裏面を扇風機の前面として取り付ける場合の両方ともに同一の固定凸部と固定凹部が組み合わせることができる。そのため、前ガードが前ガード表面もしくは前ガード裏面の両方を扇風機の前面にして取り付けることができるならば、前ガード１の両面に固定部は不要である。
【００２６】
実施の形態２．
図１２は、実施の形態２に係る前ガードの前ガード表面側を扇風機の前面として取り付けた場合における扇風機の正面図である。図１３は、実施の形態２に係る前ガードの前ガード裏面側を扇風機の前面として取り付けた場合における扇風機の正面図である。図１４は、実施の形態２に係る扇風機の図１２に示す領域Ｄの拡大図である。図１５は、実施の形態２に係る扇風機の図１３に示す領域Ｅの拡大図である。図１２及び図１３では、支柱部１０３及び台座部１０４については省略している。実施の形態２における扇風機１００は、前ガード１の放射フィン７が円弧形状となっている点について、実施の形態１における扇風機１００と異なる。なお、実施の形態２の扇風機１００の放射フィン７を除く構成については、実施の形態１の構成と同様であるため説明を省略する。
【００２７】
説明のために前ガード表面１ａ又は前ガード裏面１ｂにおいて、前ガードの中心点をＰ０、放射フィン７の求心側の端部の位置をＰ１、放射フィン７の遠心側の端部の位置をＰ２、とそれぞれ定義する。実施の形態２の前ガード１の場合、Ｐ１に該当する箇所は放射フィン７と中央部５とが一体化された点であり、Ｐ２に該当する箇所は放射フィン７と外枠６とが一体化された点である。
【００２８】
実施の形態２における前ガード１の放射フィン７は、前ガード表面１ａより見た際に中央部５から外枠６に向かうにつれファン１０１の回転方向と逆方向に湾曲した円弧形状となっている。また、図１４に示すように、前ガード表面１ａにおいて、放射フィン７のＰ１とＰ２は、Ｐ０とＰ１とを通過する直線に対して、Ｐ０とＰ２とを通過する直線が、Ｐ０を原点としてファン１０１の回転方向と逆方向に所定の角度θ１ずれるような位置に形成されている。なお、この所定の角度θ１は、異なる放射フィン７が同じ値を取っても良いし、放射フィン７ごとに異なっていても構わない。
【００２９】
また、このような前ガード１を前ガード裏面１ｂより見た際には、放射フィン７は中央部５から外枠６に向かうにつれてファン１０１の回転方向と同じ方向に湾曲した円弧形状となる。また、図１５に示すように、前ガード裏面１ｂにおいて、放射フィン７のＰ１とＰ２は、前ガード１の中心点Ｐ０と、放射フィン７と中央部５が交わる点Ｐ１と、を通る直線に対して、Ｐ０と、放射フィン７の外枠６が交わる点Ｐ２と、を通過する直線が、Ｐ０を原点としてファン回転方向と同方向に所定の角度θ１ずれるような位置に形成されている。
【００３０】
図１２のように、前ガード表面１ａを扇風機１００の前面にして前ガード１を後ガード２に取り付けた場合では、放射フィン７がファン１０１の回転方向と逆方向に湾曲した向きで取り付けられる。この状態でファン１０１を回転させて吹出気流を生じさせると、吹出気流の旋回方向成分は放射フィン７に沿って求心方向へ流れるため、吹出気流に中央部５へと向かう求心方向成分が生じ、吹出気流は求心方向へ収束する。
【００３１】
また、図１３のように、前ガード裏面１ｂを扇風機１００の前面にして前ガード１を後ガード２に取り付けた場合では、フィン７がファン１０１の回転方向と同方向に湾曲した向きで取り付けられる。この状態でファン１０１を回転させて吹出気流を生じさせると、吹出気流の旋回方向成分は放射フィン７に沿って遠心方向へ流れるため、吹出気流に外枠６へと向かう遠心方向成分が生じ、吹出気流は遠心方向へ発散する。そのため、前ガード裏面１ｂを扇風機１００の前面にして前ガード１を後ガード２に取り付けた場合の吹出気流は、前ガード表面１ａを扇風機１００の前面にして前ガード１を後ガード２に取り付けた場合の吹出気流に比べて、吹出方向に対して垂直な方向に拡散する範囲が広い気流となる。
【００３２】
一般的に吹出気流などの流体の流量は流体の断面積と流速の積で求めることができ、流量が同じ場合は断面積が広いほど流速は遅くなる。同一形状のファン１０１を同一の回転数で回転させている場合、吹出気流の流量は同じであるため、吹出気流の風速は、吹出気流の断面積に反比例する。また、一般的に風速の速い気流ほど吹出方向への到達距離が長くなる。そのため、吹出方向に対して垂直な方向に拡散する範囲が狭く、吹出気流の断面積が狭い吹出気流ほど、風速が速く吹出方向への到達距離の長い吹出気流が生じ、吹出方向に対して垂直な方向に拡散する範囲が広く吹出気流の断面積が広い吹出気流ほど、風速が遅く吹出方向への到達距離の短い気流が生じることになる。以上より、前ガード表面１ａを扇風機１００の前面にした場合と、前ガード裏面１ｂを扇風機１００の前面にした場合を比較すると、前ガード表面１ａを扇風機１００の前面にした場合の方が風速が速く吹出方向への到達距離の長い吹出気流が生じる。
【００３３】
図１６は、実施の形態２に係る前ガードの前ガード表面側を扇風機の前面として取り付けた場合と、前ガード裏面側を扇風機の前面として取り付けた場合における風速分布をそれぞれ表したグラフである。図１４の風速分布は、具体的に電動機部１０２に内蔵されたモータの回転軸に直角な水平線上の各位置における風速分布を示している。なお、測定方法は日本工業規格（ＪＩＳ）Ｃ９６０１「扇風機」に記載の風速測定方法に準じており、ファン１０１の直径は約３０ｃｍである。
【００３４】
それぞれの吹出気流の最大風速を比較すると、前ガード表面１ａを扇風機１００の前面として取り付けた場合では約５．５ｍ／ｓであり、対して前ガード裏面１ｂを扇風機１００の前面として取り付けた場合では約４．５ｍ／ｓであり、前ガード表面１ａを扇風機１００の前面として取り付けることによって吹出気流の最大風速が向上している。そのため、前ガード表面１ａを扇風機の１００の全面として取り付けることによって、吹出方向への到達距離が長い吹出気流となっている。また、それぞれの気流の範囲を比較すると、前ガード表面１ａを扇風機１００の前面として取り付けた場合では、モータの回転軸より水平に３２５ｍｍ離れた地点で風速が略０ｍ／ｓとなっており、前ガード裏面１ｂを扇風機１００の前面として取り付けた場合ではモータの回転軸より水平に４２５ｍｍ離れた地点で風速が略０ｍ／ｓとなっており、前ガード裏面１ｂを扇風機１００の前面として取り付けることによって吹出方向に対して垂直な方向に拡散する範囲が広い吹出気流となっている。
【００３５】
以上より、実施の形態２の扇風機１００は、前ガード表面１ａを扇風機１００の前面として取り付けた場合の吹出気流は吹出方向に対して垂直な方向に拡散する範囲は狭いが吹出方向への到達距離の長い吹出気流が生じ、前ガード裏面１ｂを扇風機１００の前面として取り付けた場合の吹出気流は吹出方向に対して垂直な方向に拡散する範囲は広いが吹出方向への到達距離の短い吹出気流が生じるため、前ガード１の取り付け面によって性質の異なる気流を選択することができる効果を有している。
【００３６】
特に、前ガード表面１ａを扇風機１００の前面として取り付けた場合の吹出方向への到達距離の長い吹出気流は、より遠方まで気流が届き室内空気を効率的に攪拌することができるためサーキュレーション機能に適している。また、前ガード裏面１ｂを扇風機１００の前面として取り付けた場合の吹出気流は、吹出方向に対して垂直な方向に拡散する範囲が広く、一度に多くの使用者が吹出気流で涼むことができるため、涼を取る機能に適している。従来では、サーキュレーション機能に適した扇風機と、涼を取る機能に適した扇風機をそれぞれ１台ずつ用意する必要があったが、実施の形態２の扇風機は前ガード１の取り付け面を変更するだけで、サーキュレーション機能に適した吹出方向への到達距離の長い吹出気流と、涼を取るための機能に適した吹出方向に対して垂直な方向に拡散する範囲が広い吹出気流を容易に切り換えることができ、１台でサーキュレーション機能と涼を取る機能のそれぞれに適した扇風機を得ることができる。
【００３７】
なお、実施の形態２の扇風機の放射フィン７は、前ガード表面１ａにおいてファン１０１の回転方向と逆方向に湾曲した円弧形状であり、さらに前ガード表面１ａにおいて、放射フィン７は、Ｐ０とＰ１とを通過する直線に対して、Ｐ０とＰ２とを通過する直線が、Ｐ０を原点としてファン１０１の回転方向と逆方向に所定の角度ずれた位置になるように形成されているが、これに限らない。例えば、放射フィンが円弧形状ではなく、放物線形状などの他の湾曲した形状であっても構わない。
【００３８】
また、例えば、中央部を構成する板状の部材を有さず、前ガードの中央点より外枠に向けて放射フィンが伸びる前ガード、つまりＰ０とＰ１が同一の位置に存在する前ガードであっても、放射フィンが前ガード表面においてファンの回転方向と逆方向に湾曲した形状であれば、前ガード表面を扇風機の前面として取り付けた場合には吹出気流を求心方向へ収束させ、吹出方向への到達距離の長い吹出気流を生じさせることができ、前ガード裏面を扇風機の前面として取り付けた場合には吹出気流を遠心方向へ発散させ、吹出方向に対して垂直な方向に拡散する範囲が広い吹出気流を生じさせることができる。
【００３９】
また、例えば、放射フィンが直線形状の前ガードあっても、前ガード表面において、放射フィンは、Ｐ０とＰ１とを通過する直線に対して、Ｐ０とＰ２とを通過する直線が、Ｐ０を原点としてファンの回転方向と逆方向に所定の角度θ１ずれた位置になるように形成されていれば、前ガード表面を扇風機の前面として取り付けた場合には吹出気流を求心方向へ収束させ、吹出方向への到達距離の長い吹出気流を生じさせることができ、前ガード裏面を扇風機の前面として取り付けた場合には吹出気流を遠心方向へ発散させ、吹出方向に対して垂直な方向に拡散する範囲が広い吹出気流を生じさせることができる。なお、放射フィンが直線形状の場合は、所定の角度θ１は０°＜θ１＜１８０°を満たす必要がある。言い換えると、放射フィンが直線形状の場合は、前ガード表面においてＰ０とＰ２を結ぶ直線と、Ｐ０とＰ１を結ぶ直線とで形成される角のうち、Ｐ０とＰ１を結ぶ直線を基準として、ファンの回転方向と逆方向側の角の大きさが、ファンの回転方向と同方向側の角の大きさよりも小さければならない。
【００４０】
以上より、前ガード表面においてファンの回転方向と逆方向に湾曲した形状である放射フィン、又は前ガード表面においてＰ０とＰ２を結ぶ直線と、Ｐ０とＰ１を結ぶ直線とで形成される角のうち、Ｐ０とＰ１を結ぶ直線を基準としてファンの回転方向と逆方向側の角の大きさが、ファンの回転方向と同方向側の角の大きさよりも小さい直線形状の放射フィンを有する前ガードであれば、実施の形態２の前ガード１と同様の効果を奏することができる。
【００４１】
さらに、前ガード表面において、ファンの回転方向と同方向に湾曲した形状である放射フィン、又は前ガード表面においてＰ０とＰ１とを通過する直線に対してＰ０とＰ２とを通過する直線がＰ０を原点としてファンの回転方向と同方向に所定の角度ずれた位置になる放射フィンを有する前ガードであっても構わない。この場合において、当該前ガードの前ガード表面を扇風機の前面として取り付けた際の吹出気流は吹出方向に対して垂直な方向に拡散する範囲は広いが吹出方向への到達距離の短い吹出気流が生じ、当該前ガードの前ガード裏面を扇風機の前面として取り付けた際の吹出気流は吹出方向に対して垂直な方向に拡散する範囲は狭いが吹出方向への到達距離の長い吹出気流が生じる。つまり、前ガード表面を扇風機の前面として取り付けた際の効果は、実施の形態２で説明した前ガード１の前ガード裏面１ｂを扇風機１００の前面として取り付けた場合の効果と同じである。また、前ガード裏面を扇風機の前面として取り付けた際の効果は、実施の形態２で説明した前ガードの１の前ガード表面１ａを扇風機１００の前面として取り付けた場合の効果と同じである。そのため、当該前ガードと、実施の形態２で説明した前ガード１は、本質的には同一である。この場合において、本発明の一方の面は前ガード裏面が対応し、他方の面は前ガード表面が対応する。
【００４２】
実施の形態３．
図１７は、実施の形態３及び４に係る前ガードの前ガード表面側の正面図である。図１８は、実施の形態３及び４に係る前ガードの前ガード裏面側の正面図である。図１９は、実施の形態３に係る前ガードの前ガード表面側を扇風機の前面として取り付けた場合における図１７に示すＦ−Ｆ断面図である。図２０は、実施の形態３に係る前ガードの前ガード裏面側を扇風機の前面として取り付けた場合における図１８に示すＧ−Ｇ断面図である。図１９及び図２０の各断面図では、後ガード２及び電動機部１０２の図示を省略している。実施の形態３における扇風機１００は、前ガード１の筒状フィン１３が複数個設けられており、筒状フィン１３に傾斜が設けられている点について、実施の形態１の扇風機１００と異なる。なお、実施の形態３の扇風機１００の放射フィン７と筒状フィン１３を除く構成については、実施の形態１の扇風機１００及び実施の形態２の扇風機１００と同様である。
【００４３】
実施の形態３の放射フィン７は、中心部５から外枠６へと直線形状に伸びている。また、前ガード表面１ａにおいて、放射フィン７の求心側の端部と遠心側の端部を結ぶ直線は、前ガード１の中心点を通過するような位置に形成されている。このため、実施の形態３の放射フィン７は、前ガード表面１ａを扇風機１００の前面として取り付けた場合及び後ガード裏面１ａを扇風機１００の前面として取り付けた場合の両方において、吹出気流は、前ガードを通過する際に吹出気流のうち旋回方向成分は放射フィン７に衝突し、放射フィン７に沿って中央部５の方向へと流れる。
【００４４】
実施の形態３における前ガード１には、中央部５及び外枠６と同心円状の筒状フィン１３が複数本設けられている。また、筒状フィン１３は、前ガード裏面１ｂから前ガード表面１ａに向かうに従って中心部５と筒状フィン１３との距離が狭まるように、前ガード表面１ａに直交する直線に対して傾いて設けられている。また、遠心側にある筒状フィン１３、つまり外枠６に近い筒状フィン１３ほど、前ガード表面１ａに直交する直線に対する傾き角θ２が大きくなっている。実施の形態３では、最も外枠６側に位置する筒状フィン１３ａの傾き角θ２は２５°であり、最も中心部５側に位置する筒状フィン１３ｂの傾き角は略０°に設定されている。
【００４５】
前ガード表面１ａを扇風機１００の前面にして前ガード１を後ガード２に取り付けた場合では、筒状フィン１３は吹出気流の吹出方向に対して求心方向へと傾いた向きで取り付けられる。この状態でファン１０１を回転させて吹出気流を生じさせると、吹出気流の吹出方向成分は筒状フィン１３に沿って吹き出されるため、吹出気流に中央部５へと向かう求心方向成分が生じ、吹出気流は求心方向へ収束する。
【００４６】
前ガード裏面１ｂを扇風機１００の前面にして前ガード１を後ガード２に取り付けた場合では、筒状フィン１３は吹出気流の吹出方向に対して遠心方向へと傾いた向きで取り付けられる。この状態でファン１０１を回転させて吹出気流を生じさせると、吹出気流の吹出方向成分は筒状フィン１３に沿って吹き出されるため、吹出気流に外枠６へと向かう遠心方向成分が生じ、吹出気流は遠心方向へ発散する。そのため、前ガード表面１ａを扇風機１００の前面にした場合に比べて、吹出方向に対して垂直な方向に拡散する範囲が広い気流となる。
【００４７】
また、吹出方向に対して垂直な方向に拡散する範囲が狭い吹出気流ほど、吹出方向への到達距離の長い吹出気流が生じ、吹出方向に対して垂直な方向に拡散する範囲が広く吹出気流の断面積が広い吹出気流ほど、吹出方向への到達距離の短い気流が生じる。つまり、実施の形態３の扇風機１００においても、前ガード表面１ａを扇風機１００の前面にした場合と、前ガード裏面１ａを扇風機１００の前面にした場合を比較すると、前ガード表面１ａを前面にした場合では吹出方向への到達距離の長い吹出気流が生じ、前ガード裏面１ｂを前面にした場合では吹出方向に対して垂直な方向に拡散する範囲が広い気流が生じる。
【００４８】
以上より、実施の形態３の扇風機においても、実施の形態２の扇風機と同じく、前ガード表面１ａを扇風機１００の前面として取り付けた場合の吹出気流は吹出方向に対して垂直な方向に拡散する範囲は狭いが吹出方向への到達距離の長い吹出気流が生じ、前ガード裏面１ｂを扇風機１００の前面として取り付けた場合の吹出気流は吹出方向に対して垂直な方向に拡散する範囲は広いが吹出方向への到達距離の短い吹出気流が生じるため、前ガード１の取り付け面によって性質の異なる気流を選択することができる効果を有している。例えば、実施の形態３の扇風機１００も前ガードの取り付け面を切り替えることによって、１台でサーキュレーション機能と涼を取る機能に適した扇風機を使い分けることができる。
【００４９】
さらに、実施の形態３の筒状フィン１３は複数本設けられているため、実施の形態１及び２のような筒状フィン１３が１本の場合に比べて、放射フィン７の周方向への剛性が高くなっている。そのため、放射フィン７の周方向への変形が抑制され、前ガード１はより効果的にファン１０１に物が触れることを防止することができる。
【００５０】
また、前ガード１が射出成形又はダイカスト等の金型に溶融した材料を充填することで製造される場合には、実施の形態３のように筒状フィン１３を複数本設けることによって、前ガード１の製造の際に溶融した材料が流れる経路が多くなり、短時間で金型内に溶融した材料を充填することができる。また、短時間で金型内に溶融した材料を充填することによって、溶融温度を低く設定することができヒケの発生を抑制できるなど、前ガード１の成形性が向上する。
【００５１】
なお、実施の形態３において、外枠６に近い筒状フィン１３ほど前ガード表面１ａに直交する直線に対する傾き角が大きくなっているが、これは外枠６に近い吹出気流を求心方向へ収束又は遠心方向へ発散させる方が、中心部５に近い吹出気流を収束又は発散させるよりも大きな効果を奏するためである。そのため、少なくとも最も外枠側に位置する筒状フィンのみを前ガード表面に直交する直線に対して傾いて取り付け、それ以外の中央部側に位置する筒状フィンを前ガード表面に直交する直線に対して並行に取り付けても良い。この場合でも、最も外枠側に位置する筒状フィンは、吹出気流を求心方向へ収束又は遠心方向へ発散させるため、同様の効果を少なからず得ることができる。
【００５２】
また、全ての筒状フィンの前ガード表面に直交する直線に対する傾き角が最も外枠側に位置する筒状フィンの傾き角θ２と同じであっても構わない。この場合でも、吹出気流を求心方向へ収束又は遠心方向へ発散させるため、同様の効果を得ることができる。
【００５３】
さらに、実施の形態３の筒状フィン１３は、前ガード裏面１ｂから前ガード表面１ａに向かうに従って中心部５と筒状フィン１３との距離が狭まるように、前ガード表面１ａに直交する直線に対して傾いて設けられているが、これに限らず、前ガード裏面から前ガード表面に向かうに従って中心部と筒状フィンとの距離が広がるように、前ガード表面に直交する直線に対して傾いて設けられていても構わない。実施の形態２と同じく、この場合における前ガードにおいて、当該前ガードの前ガード表面を扇風機の前面として取り付けた際の効果は実施の形態３の前ガード１の前ガード裏面１ｂを扇風機１００の前面として取り付けた際の効果と同じである。また、当該前ガードの前ガード裏面を扇風機の前面として取り付けた際の効果は、実施の形態３の前ガード１の前ガード表面１ａを扇風機１００の前面として取り付けた際の効果と同じである。従って、当該前ガードと、実施の形態３で説明した前ガード１は本質的に同一である。この場合において、本発明の一方の面は前ガード裏面が対応し、他方の面は前ガード表面が対応する。
【００５４】
実施の形態４．
図２１は、実施の形態４に係る前ガードの前ガード表面側を扇風機の前面として取り付けた場合における図１７に示すＦ−Ｆ断面図である。図２２は、実施の形態４に係る前ガードの前ガード裏面側を扇風機の前面として取り付けた場合における図１８に示すＧ−Ｇ断面図である。図２１及び図２２の各断面図では、後ガード２の図示を省略している。実施の形態４における扇風機１００は、放射フィン７を筒状フィン１３よりも前ガード裏面１ｂ側に突出させ、筒状フィン１３を放射フィン７よりも前ガード表面１ａ側に突出させた点が、実施の形態３の扇風機１００と異なる。なお、実施の形態４の扇風機１００の放射フィン７及び筒状フィン１３を除く構成については、実施の形態３の扇風機１００と同様であるので説明を省略する。
【００５５】
前ガード表面１ａ側において、筒状フィン１３の端面は放射フィン７の端面よりも突出している。このような前ガード１を図２２のように前ガード裏面１ｂを扇風機１００の前面にして後ガード２に取り付けた場合では、吹出気流は放射フィン７より先に筒状フィン１３に到達する。実施の形態３と同様に、筒状フィン１３は前ガード裏面１ｂから前ガード表面１ａに向かうに従って中心部５と筒状フィン１３との距離が狭まるように前ガード表面１ａに直交する直線に対して傾いて設けられている。そのため、前ガード１の前ガード裏面１ｂを扇風機１００の前面にして取り付けた場合では、筒状フィン１３は、吹出気流に遠心方向成分を生じさせる効果を有する。一方、放射フィン７は、実施の形態１及び３と同様に中央部５から外枠６へ直線形状に伸びている。前述のように中央部５から外枠６へ直線形状に伸びている放射フィン７は、吹出気流に求心方向成分を生じさせる効果を有する。しかしながら、筒状フィン１３の端面は放射フィン７の端面よりも突出しているため、吹出気流は放射フィン７よりも先に筒状フィン１３に到達し、放射フィン７による吹出気流に求心方向成分を生じさせる効果よりも、筒状フィン１３による吹出気流に遠心方向成分を生じさせる効果が先に発揮される。このため、吹出気流の旋回方向成分が放射フィン７に衝突した際に、吹出気流の旋回方向成分の一部は、既に筒状フィン１３により生じている遠心方向成分に誘引され放射フィン７に沿って遠心方向へ流れる。従って、前ガード裏面１ｂを扇風機１００の前面にして後ガードに取り付けた場合における、放射フィン７によって吹出気流に求心方向成分を生じさせる効果は、筒状フィン１３の端部を放射フィン７の端部よりも突出させることにより弱められ、前ガード１全体としては吹出気流を遠心方向に発散させる効果がより顕著に生じる。
【００５６】
以上より、実施の形態４のように、前ガード表面１ａ側において、筒状フィン１３の端面を放射フィン７の端面よりも突出させることによって、実施の形態３のように前ガード表面１ａ側における筒状フィン１３の端部と放射フィン７の端部を同一平面上に設けた場合よりも、放射フィン７による前ガード１の吹出気流を遠心方向へ発散させる効果が低下する。そのため、吹出方向に対して垂直な方向に拡散する範囲は広くなる。そのため、例えば、より多くの利用者が涼しむことが可能となる。
【００５７】
また、前ガード裏面１ｂ側において、放射フィン７の端部は筒状フィン１３の端面よりも突出している。このような前ガードを図２１のように前ガード表面１ａを扇風機１００の前面にして後ガードに取り付けた場合では、筒状フィン１３は吹出気流に求心方向成分を生じさせる効果を有し、また吹出気流は筒状フィン１３より先に放射フィン７に到達する。前述のように吹出気流の旋回方向成分は放射フィン７に衝突し、放射フィン７に沿って中央部５の方向へ流れるため、吹出気流に求心方向成分を生じさせる。しかし、実施の形態３のように前ガード裏面１ｂ側における放射フィン７の端部と筒状フィン１３の端部を同一平面上に設けた場合では、吹出気流の旋回方向成分が放射フィン７に沿って中央部５の方向へ流れても、すぐに筒状フィン１３と衝突してしまい、放射フィン７の吹出気流に求心方向成分を生じさせる効果が十分に発揮することができなかった。実施の形態４では、前ガード裏面１ｂ側における放射フィン７の端部を筒状フィン１３の端部よりも突出させているため、放射フィン７の端部から筒状フィン１３の端部までの区間は、吹出気流の旋回方向成分が筒状フィン１３と衝突せずに放射フィン７に沿って中央部５の方向へ流れ、より顕著に放射フィン７の吹出気流に求心方向成分を生じさせる効果を発揮することができる。従って、前ガード表面１ａを扇風機１００の前面にして後ガードに取り付けた場合における、放射フィン７によって吹出気流に求心方向成分を生じさせる効果は、放射フィン７の端部を筒状フィン１３の端部よりも突出させることにより強められ、前ガード１全体としては吹出気流を求心方向に収束させる効果がより顕著に生じる。
【００５８】
以上より、実施の形態４のように、前ガード裏面１ｂ側において、放射フィン７の端面を筒状フィン１３の端面よりも突出させることによって、実施の形態３のように前ガード裏面１ｂ側における放射フィン７の端部と筒状フィン１３の端部を同一平面上に設けた場合よりも、放射フィン７による前ガード１の吹出気流を求心方向へ収束させる効果が向上する。そのため、吹出方向に対して垂直な方向に拡散する範囲は更に狭くなり、吹出方向への到達距離が更に長い吹出気流が生じ、サーキュレーション機能が向上する。
【００５９】
なお、実施の形態４の前ガード１は、放射フィン７を筒状フィン１３よりも前ガード裏面１ｂ側に突出させ、筒状フィン１３を放射フィン７よりも前ガード表面１ａ側に突出させているが、これに限らず、放射フィンを筒状フィンよりも前ガード裏面側に突出させたのみの場合でも構わない。この場合においても、前ガード表面を扇風機の前面として使用した場合において、吹出方向への到達距離が更に長い吹出気流が生じ、サーキュレーション機能が向上する効果を奏することができる。
【００６０】
また、筒状フィンを放射フィンよりも前ガード表面側に突出させたのみの場合でも構わない。この場合においても、前ガード裏面を扇風機の前面として使用した場合において、吹出方向に対して垂直な方向に拡散する範囲は広くなり、多くの人が涼しむことが可能となる効果を奏することができる。
【００６１】
実施の形態５．
図２３は、実施の形態５に係る前ガードの前ガード表面側の正面図である。図２４は、実施の形態５に係る前ガードの前ガード裏面側の正面図である。図２５は、実施の形態５に係る前ガードの前ガード表面側を扇風機の前面として取り付けた場合における図２３に示すＨ−Ｈ断面図である。図２６は、実施の形態５に係る前ガードの前ガード裏面側を扇風機の前面として取り付けた場合における図２４に示すＩ−Ｉ断面図である。実施の形態３における扇風機は、実施の形態２における前ガード１の放射フィン７と、実施の形態３における筒状フィン１３と、をそれぞれ備えている。なお、前ガード１の放射フィン７及び筒状フィン１３を除く構成については、実施の形態１の扇風機と同様であるので説明を省略する。
【００６２】
実施の形態５の放射フィン７は、実施の形態２の放射フィン７と同じく、前ガード表面から見た際に中央部５から外枠６に向かうにつれてファン１０１の回転方向と逆方向に湾曲した円弧形状である。さらに、実施の形態５の放射フィン７の求心側の端部と、遠心側の端部は、実施の形態２の放射フィン７と同じく、前ガード表面１ａにおいて、放射フィン７の求心側の端部と前ガードの中心点を通過する直線に対して、放射フィン７の遠心側の端部と前ガードの中心点を通過する直線が、前ガードの中心点を原点としてファン１０１の回転方向と逆方向に所定の角度ずれるような位置に形成されている。このため、実施の形態２で述べたように、前ガード表面１ａを扇風機１００の前面にして前ガード１を後ガード２に取り付けた場合では、吹出気流の旋回方向成分は放射フィン７に沿って求心方向へ流れるため、吹出気流に中央部５へと向かう求心方向成分が生じ、吹出気流は求心方向へ収束する。また、前ガード裏面１ｂを扇風機１００の前面にして前ガード１を後ガード２に取り付けた場合では、吹出気流の旋回方向成分は放射フィン７に沿って遠心方向へ流れるため、吹出気流に外枠６方向へと向かう遠心方向成分が生じ、吹出気流は遠心方向へ発散する。
【００６３】
実施の形態５の筒状フィン１３は、実施の形態３の筒状フィン１３と同じく、複数本設けられており、それぞれ前ガード裏面１ｂから前ガード表面１ａに向かうに従って中心部５と筒状フィン１３との距離が狭まるように、前ガード表面１ａに直交する直線に対して傾いて設けられている。このため、実施の形態３で述べたように、前ガード表面１ａを扇風機１００の前面にして前ガード１を後ガード２に取り付けた場合では、吹出気流の吹出方向成分は吹出方向に対して求心方向へ傾いた筒状フィン１３に沿って吹き出されるため、吹出気流に中心部５へと向かう求心方向成分が生じ、吹出気流は求心方向へ収束する。また、前ガード裏面１ｂを扇風機１００の前面にして前ガード１を後ガード２に取り付けた場合では、吹出気流の吹出方向成分は吹出方向に対して遠心方向に傾いた筒状フィン１３に沿って吹き出されるため、吹出気流に外枠６へと向かう遠心方向成分が生じ、吹出気流は遠心方向へ発散する。
【００６４】
また、放射フィン７は、吹出気流の旋回方向成分より求心方向成分又は遠心方向成分を生じさせている。対して、筒状フィン１３は、吹出気流の吹出方向成分より求心方向成分又は遠心方向成分を生じさせている。そのため、放射フィン７と、筒状フィン１３とは、それぞれ吹出気流の異なる成分より求心方向成分又は遠心方向成分を生じさせており、放射フィン７及び筒状フィン１３がそれぞれ有する吹出気流の求心方向への収束の効果と、吹出気流の遠心方向への発散の効果は相乗して発揮される。
【００６５】
実施の形態５の前ガード１では、前ガード表面１ａを扇風機１００の前面にして前ガード１を後ガード２に取り付けた場合において放射フィン７と筒状フィン１３は共に吹出気流を求心方向へ収束させる。実施の形態２及び３の前ガードに比べて、実施の形態５の前ガード１は、吹出気流をより求心方向へ収束させることができる。このため、実施の形態２及び３の扇風機に比べて、実施の形態５の扇風機は、ガード表面１ａを扇風機１００の前面にして前ガード１を取り付けた場合において、吹出方向への到達距離が更に長い吹出気流が生じさせることができる。
【００６６】
また、前ガード裏面１ｂを扇風機１００の前面にして前ガード１を後ガード２に取り付けた場合において放射フィン７と筒状フィン１３は共に吹出気流を遠心方向へ発散させる。実施の形態２及び３の前ガードに比べて、実施の形態５の前ガードは、吹出気流をより遠心方向へ発散させることができる。このため、実施の形態２及び３の扇風機に比べて、実施の形態５の扇風機は、ガード裏面１ｂを扇風機１００の前面にして前ガード１を取り付けた場合において、吹出方向に対して垂直な方向に拡散する範囲が更に広い吹出気流を
生じさせることができる。
【００６７】
以上より実施の形態５の前ガード１のように、放射フィン７を前ガード表面から見た際に中央部５から外枠６に向かうにつれてファン１０１の回転方向と逆方向に湾曲した円弧形状とし、筒状フィン１３を前ガード裏面１ｂから前ガード表面１ａに向かうに従って中心部５と筒状フィン１３との距離が狭まるように前ガード表面１ａに直交する直線に対して傾いて設けることによって、前ガード表面１ａを扇風機１００の前面にした場合において吹出方向への到達距離が更に長い吹出気流が生じ、前ガード裏面１ｂを扇風機１００の前面にした場合において吹出方向に対して垂直な方向に拡散する範囲が更に広い吹出気流を生じさせることができる。
【００６８】
なお、実施の形態５の前ガード１においても、実施の形態４の前ガード１のように、前ガード裏面１ｂ側の放射フィン７の端面を筒状フィン１３の端面よりも突出させてもよく、この場合でも同様に放射フィン７による前ガード１の吹出気流を求心方向へ収束させる効果が向上する。
【００６９】
また、実施の形態５の前ガード１では、実施の形態４とは異なり前ガード表面１ａを扇風機１００の前面にして前ガード１を後ガード２に取り付けた場合において、放射フィン７は吹出気流に外枠６方向へと向かう遠心方向成分が生じさせる。そのため、実施の形態５の前ガード１において、前ガード表面１ａ側の放射フィン７の端面を筒状フィン１３の端面よりも突出させることによって、放射フィン７の端部から筒状フィン１３の端部までの区間は、吹出気流の旋回方向成分が筒状フィン１３と衝突せずに放射フィン７に沿って外枠６の方向へ流れ、より顕著に放射フィン７の吹出気流に遠心方向成分を生じさせる効果を発揮することができる。従って、実施の形態５の前ガード１において、前ガード表面１ａ側の放射フィン７の端面を筒状フィン１３の端面よりも突出させてもよく、この場合では放射フィン７による前ガード１の吹出気流を遠心方向へ拡散させる効果が向上する。
【００７０】
さらに、実施の形態２と同様に、前ガード表面においてファンの回転方向と逆方向に湾曲した形状である放射フィン、又は前ガード表面においてＰ０とＰ２を結ぶ直線と、Ｐ０とＰ１を結ぶ直線とで形成される角のうち、Ｐ０とＰ１を結ぶ直線を基準としてファンの回転方向と逆方向側の角の大きさが、ファンの回転方向と同方向側の角の大きさよりも小さい直線形状の放射フィンを有する前ガードであれば、実施の形態５の前ガード１と同様の効果を奏する。
【００７１】
実施の形態６．
実施の形態６における扇風機は、前ガード１の前ガード表面１ａ側の中央部５と前ガード裏面１ｂ側の中央部５の配色が異なる点以外は実施の形態２の扇風機１００と同一である。
【００７２】
このように前ガード表面１ａと前ガード裏面１ｂで配色を変えることによって、使用者はサーキュレーション機能を得たい場合はどちらを扇風機１００の前面として取り付ければよいか直感的に理解することができ、利便性が向上する効果が得られる。
【００７３】
なお、実施の形態６の扇風機では中央部５のみ表裏で配色を変更しているが、これに限らず、放射フィン７など前ガード１を構成している他の部材の配色を変更しても良い。
【００７４】
また、実施の形態６の扇風機では前ガード１の前ガード表面１ａ側と前ガード裏面１ｂ側の配色を変更しているが、これに限らず、前ガード表面１ａと前ガード裏面１ｂで形状、模様および手触りなどの意匠を変更すれば良い。
【００７５】
さらに、実施の形態６の前ガード１は、実施の形態２の前ガード１の前ガード表面１ａ側の中央部５と前ガード裏面１ｂ側の中央部５の配色を異なっているが、これに限らず、実施の形態３から５の前ガード１について、それぞれ前ガード表面１ａ側の中央部５と前ガード裏面１ｂ側の中央部５の配色が異なっていても同様の効果を得られる。
【符号の説明】
【００７６】
１  前ガード、１ａ  前ガード表面、１ｂ  前ガード裏面、２  後ガード、３  保護網、４  ガードリング、４ａ  ガードリングの上段、４ｂ  ガードリングの下段、５  中央部、６  外枠、７  放射フィン、８  固定凸部、９  固定凹部、９ａ  表面固定凹部、９ｂ  裏面固定凹部、１０  挿入溝、１０ａ  表面挿入溝、１０ｂ  裏面挿入溝、１１  固定溝、１１ａ  表面固定溝、１１ｂ  裏面固定溝、１２  ストッパー、１２ａ  表面ストッパー、１２ｂ  裏面ストッパー、１３  筒状フィン、１００  扇風機、１０１  ファン、１０１ａ  羽根ボス部、１０１ｂ  羽根、１０２  電動機部、１０３  支柱部、１０４  台座部
【図１】
2015042868.tif 000003
【図２】
2015042868.tif 000004
【図３】
2015042868.tif 000005
【図４】
2015042868.tif 000006
【図５】
2015042868.tif 000007
【図６】
2015042868.tif 000008
【図７】
2015042868.tif 000009
【図８】
2015042868.tif 000010
【図９】
2015042868.tif 000011
【図１０】
2015042868.tif 000012
【図１１】
2015042868.tif 000013
【図１２】
2015042868.tif 000014
【図１３】
2015042868.tif 000015
【図１４】
2015042868.tif 000016
【図１５】
2015042868.tif 000017
【図１６】
2015042868.tif 000018
【図１７】
2015042868.tif 000019
【図１８】
2015042868.tif 000020
【図１９】
2015042868.tif 000021
【図２０】
2015042868.tif 000022
【図２１】
2015042868.tif 000023
【図２２】
2015042868.tif 000024
【図２３】
2015042868.tif 000025
【図２４】
2015042868.tif 000026
【図２５】
2015042868.tif 000027
【図２６】
2015042868.tif 000028